(57)【要約】【課題】他人の生体情報を体感できるようにする。【解決手段】被検出者の生体情報を、生体情報表現装置に送信する。或いは被検出者の生体情報を、サーバ装置において蓄積し、生体情報表現装置は蓄積された生体情報をダウンロード受信できるようにする。生体情報表現装置では、受信した生体情報に基づいて、振動動作、形状変化動作、圧力印加動作、温度変化動作、湿感変化動作、表示動作、音声出力動作などを実行する。例えば振動によって心拍を脈拍を表現したり、例えば大きさの変化などとしての形状変化によって呼吸動作を表現したり、圧力印加によって血圧の状態を表現する。【選択図】図１
2009015449.tif 000002
【特許請求の範囲】
【請求項１】
生体情報検出／送信装置と、生体情報表現装置と、を有する生体情報共有システムとして、
上記生体情報検出／送信装置は、
被検出者の生体情報を検出する検出手段と、
上記検出手段で検出された生体情報を送信出力する送信手段と、
を備え、
生体情報表現装置は、
情報通信を行う通信手段と、
所定の態様で生体情報の表現動作を行う動作手段と、
上記受信手段に生体情報の受信処理を実行させるとともに、上記受信手段で受信した生体情報に基づいて上記動作手段の駆動制御処理を実行する制御手段と、
を備えたことを特徴とする生体情報共有システム。
【請求項２】
さらに生体情報を蓄積する蓄積手段を備えたサーバ装置を有し、
上記生体情報検出／送信装置の上記送信手段は、生体情報を上記サーバ装置に対してアップロード送信し、
上記サーバ装置は、アップロード送信されてきた生体情報を、上記蓄積手段に蓄積し、
上記生体情報表現装置の上記通信手段は、上記サーバ装置の上記蓄積手段に蓄積されている生体情報をダウンロード受信することを特徴とする請求項１に記載の生体情報共有システム。
【請求項３】
上記生体情報は、脈拍、心拍、心電図、筋電、呼吸、発汗、ＧＳＲ、血圧、血中酸素飽和濃度、皮膚表面温度、脳波、血流変化、体温、体の動き、頭の動き、重心、歩行／走行のリズム、眼の状態のうちの少なくとも一つであることを特徴とする請求項１に記載の生体情報共有システム。
【請求項４】
上記サーバ装置は、アップロード送信されてきた上記生体情報について、上記被検出者の識別情報を対応させて上記蓄積手段に蓄積することを特徴とする請求項２に記載の生体情報共有システム。
【請求項５】
上記生体情報表現装置は、上記サーバ装置の上記蓄積手段に蓄積された生体情報のうちで、上記識別情報に基づいて選択した生体情報を、上記通信手段によりダウンロード受信することを特徴とする請求項４に記載の生体情報共有システム。
【請求項６】
情報通信を行う通信手段と、
所定の態様で生体情報の表現動作を行う動作手段と、
上記受信手段に生体情報の受信処理を実行させるとともに、上記受信手段で受信した生体情報に基づいて上記動作手段の駆動制御処理を実行する制御手段と、
を備えたことを特徴とする生体情報表現装置。
【請求項７】
上記制御手段は、外部のサーバ装置に蓄積された生体情報の中から選択した生体情報を、上記通信手段によりダウンロード受信させることを特徴とする請求項６に記載の生体情報表現装置。
【請求項８】
上記サーバ装置には、生体情報が、その生体情報の被検出者の識別情報と対応づけられて蓄積されているとともに、
上記制御手段は、上記識別情報に基づいて、上記サーバ装置に蓄積された生体情報の中から受信する生体情報を選択することを特徴とする請求項７に記載の生体情報表現装置。
【請求項９】
上記動作手段は、振動部として形成され、
上記制御手段は、上記受信手段で受信した生体情報に基づく駆動制御信号を生成して上記振動部に振動動作を実行させることを特徴とする請求項６に記載の生体情報表現装置。
【請求項１０】
上記動作手段は、形状変化部として形成され、
上記制御手段は、上記受信手段で受信した生体情報に基づく駆動制御信号を生成して上記形状変化部に形状変化動作を実行させることを特徴とする請求項６に記載の生体情報表現装置。
【請求項１１】
上記動作手段は、圧力印加部として形成され、
上記制御手段は、上記受信手段で受信した生体情報に基づく駆動制御信号を生成して上記圧力印加部に圧力印加動作を実行させることを特徴とする請求項６に記載の生体情報表現装置。
【請求項１２】
上記動作手段は、温度変化部として形成され、
上記制御手段は、上記受信手段で受信した生体情報に基づく駆動制御信号を生成して上記温度変化部に温度変化動作を実行させることを特徴とする請求項６に記載の生体情報表現装置。
【請求項１３】
上記動作手段は、湿感変化部として形成され、
上記制御手段は、上記受信手段で受信した生体情報に基づく駆動制御信号を生成して上記湿感変化部に湿感変化動作を実行させることを特徴とする請求項６に記載の生体情報表現装置。
【請求項１４】
上記動作手段は、画像表示部として形成され、
上記制御手段は、上記受信手段で受信した生体情報に基づく画像信号を生成して上記画像表示部で表示動作を実行させることを特徴とする請求項６に記載の生体情報表現装置。
【請求項１５】
上記動作手段は、音声出力部として形成され、
上記制御手段は、上記受信手段で受信した生体情報に基づく音声信号を生成して上記音声出力部で音声出力動作を実行させることを特徴とする請求項６に記載の生体情報表現装置。
【請求項１６】
上記制御手段は、上記受信手段で継続的に受信される生体情報に基づいて、上記動作手段のリアルタイム駆動制御処理を実行することを特徴とする請求項６に記載の生体情報表現装置。
【請求項１７】
ストレージ手段をさらに備え、
上記制御手段は、上記受信手段で受信された生体情報を上記ストレージ手段に記憶させるとともに、上記ストレージ手段から読み出した生体情報に基づいて上記動作手段の駆動制御処理を実行することを特徴とする請求項６に記載の生体情報表現装置。
【請求項１８】
生体情報を受信するステップと、
受信した生体情報に基づいて、所定の態様での表現動作のための駆動制御信号を生成するステップと、
上記駆動制御信号による動作を実行するステップと、
を備えたことを特徴とする生体情報表現方法。
【発明の詳細な説明】
【技術分野】
【０００１】
本発明は、生体情報共有システム、生体情報表現装置、生体情報表現方法に関し、特に他人の生体情報を共有できるようにする技術に関する。
【背景技術】
【０００２】
【特許文献１】特開２００６−１２６８９１号公報
【特許文献２】特開２００６−３４８０３号公報
【特許文献３】特開２００６−８７８２９号公報
【特許文献４】特開２００３−７９５９１号公報
【特許文献５】特開２００４−１９４９９６号公報
【０００３】
上記特許文献１には生体情報のネットワーク伝送に関する技術が開示されている。
また上記特許文献２〜５には、各種の生体情報を表示する装置が記載されている。
【発明の開示】
【発明が解決しようとする課題】
【０００４】
しかしながら、他人の生体情報を任意に見たり体感できるようにしたシステムは従来提案されていない。
特に、有名人、知人などの他人の生体情報を体感できることで、新たな楽しみを創出できると考えられることから、本発明は、生体情報を容易に共有できるシステム及び装置を提供することを目的とする。
【課題を解決するための手段】
【０００５】
本発明の生体情報共有システムは、生体情報検出／送信装置と、生体情報表現装置とを有する。上記生体情報検出／送信装置は、被検出者の生体情報を検出する検出手段と、上記検出手段で検出された生体情報を送信出力する送信手段とを備える。また生体情報表現装置は、情報通信を行う通信手段と、所定の態様で生体情報の表現動作を行う動作手段と、上記受信手段に生体情報の受信処理を実行させるとともに、上記受信手段で受信した生体情報に基づいて上記動作手段の駆動制御処理を実行する制御手段とを備える。
また、さらに生体情報を蓄積する蓄積手段を備えたサーバ装置を有し、上記生体情報検出／送信装置の上記送信手段は、生体情報を上記サーバ装置に対してアップロード送信し、上記サーバ装置は、アップロード送信されてきた生体情報を、上記蓄積手段に蓄積する。上記生体情報表現装置の上記通信手段は、上記サーバ装置の上記蓄積手段に蓄積されている生体情報をダウンロード受信する。
また上記生体情報は、脈拍、心拍、心電図信号、筋電、呼吸（例えば呼吸の速さ、深さ、換気量など）、発汗、ＧＳＲ（皮膚電気反応）、血圧、血中酸素飽和濃度（ＳｐＯ2）、皮膚表面温度、脳波（例えばα波、β波、θ波、δ波の情報）、血流変化（近赤外分光による脳血流、抹消血流などの血流変化）、体温、体の動き（揺れ）、頭の動き（揺れ）、重心、歩行／走行のリズム、眼の状態（瞳孔状態、眼の動き、まばたき等）のうちの少なくとも一つであるとする。
【０００６】
また上記サーバ装置は、アップロード送信されてきた上記生体情報に、上記被検出者の識別情報を対応させて上記蓄積手段に蓄積する。
この場合、上記生体情報表現装置は、上記サーバ装置の上記蓄積手段に蓄積された生体情報のうちで、上記識別情報に基づいて選択した生体情報を、上記通信手段によりダウンロード受信する。
【０００７】
本発明の生体情報表現装置は、情報通信を行う通信手段と、所定の態様で生体情報の表現動作を行う動作手段と、上記受信手段に生体情報の受信処理を実行させるとともに、上記受信手段で受信した生体情報に基づいて上記動作手段の駆動制御処理を実行する制御手段とを備える。
また上記制御手段は、外部のサーバ装置に蓄積された生体情報の中から選択した生体情報を、上記通信手段によりダウンロード受信させる。特に上記サーバ装置には、生体情報が、その生体情報の被検出者の識別情報と対応づけられて蓄積されているとともに、上記制御手段は、上記識別情報に基づいて、上記サーバ装置に蓄積された生体情報の中から受信する生体情報を選択する。
【０００８】
また上記動作手段は、振動部として形成され、上記制御手段は、上記受信手段で受信した生体情報に基づく駆動制御信号を生成して上記振動部に振動動作を実行させる。
また上記動作手段は、形状変化部として形成され、上記制御手段は、上記受信手段で受信した生体情報に基づく駆動制御信号を生成して上記形状変化部に形状変化動作を実行させる。
また上記動作手段は、圧力印加部として形成され、上記制御手段は、上記受信手段で受信した生体情報に基づく駆動制御信号を生成して上記圧力印加部に圧力印加動作を実行させる。
また上記動作手段は、温度変化部として形成され、上記制御手段は、上記受信手段で受信した生体情報に基づく駆動制御信号を生成して上記温度変化部に温度変化動作を実行させる。
また上記動作手段は、湿感変化部として形成され、上記制御手段は、上記受信手段で受信した生体情報に基づく駆動制御信号を生成して上記湿感変化部に湿感変化動作を実行させる。
また上記動作手段は、画像表示部として形成され、上記制御手段は、上記受信手段で受信した生体情報に基づく画像信号を生成して上記画像表示部で表示動作を実行させる。
また上記動作手段は、音声出力部として形成され、上記制御手段は、上記受信手段で受信した生体情報に基づく音声信号を生成して上記音声出力部で音声出力動作を実行させる。
【０００９】
また上記制御手段は、上記受信手段で継続的に受信される生体情報に基づいて、上記動作手段のリアルタイム駆動制御処理を実行する。
またストレージ手段をさらに備え、上記制御手段は、上記受信手段で受信された生体情報を上記ストレージ手段に記憶させるとともに、上記ストレージ手段から読み出した生体情報に基づいて上記動作手段の駆動制御処理を実行する。
【００１０】
本発明の生体情報表現方法は、生体情報を受信するステップと、受信した生体情報に基づいて所定の態様での表現動作のための駆動制御信号を生成するステップと、上記駆動制御信号による動作を実行するステップとを備える。
【００１１】
このような本発明では、被検出者の生体情報を、生体情報表現装置に送信する。或いは被検出者の生体情報を、サーバ装置において蓄積し、生体情報表現装置は蓄積された生体情報をダウンロード受信できるようにする。
そして生体情報表現装置では、受信した生体情報に基づいて、振動動作、形状変化動作、圧力印加動作、温度変化動作、湿感変化動作、表示動作、音声出力動作などを実行する。例えば振動によって心拍を脈拍を表現したり、例えば大きさの変化などとしての形状変化によって呼吸動作を表現したり、圧力印加によって血圧の状態を表現する。
これにより、例えば有名人や知人などの被検出者となった他人の生体情報を、生体情報表現装置のユーザは、その生体情報表現装置の動作によって体感できることになる。
【発明の効果】
【００１２】
本発明によれば、生体情報表現装置のユーザにとって、他人の生体情報を体感することができるという、新たな楽しみを創出できる。
【発明を実施するための最良の形態】
【００１３】
以下、本発明の実施の形態を説明する。説明は次の順序で行う。
［１．システム構成］
［２．生体情報検出／送信装置の構成］
［３．サーバ装置の構成］
［４．生体情報表現装置の構成］
［５．生体情報検出／送信装置、サーバ装置、生体情報表現装置によるシステム動作］
［６．生体情報検出／送信装置と生体情報表現装置によるシステム動作］
［７．生体情報例］
［８．体感デバイス例］
［９．実施の形態の効果及び変形例］
【００１４】
［１．システム構成］
図１（ａ）（ｂ）に実施の形態の生体情報共有システムの例を示す。
図１（ａ）は、生体情報検出／送信装置１と、サーバ装置７０と、生体情報表現装置２０が、ネットワーク６０を介して通信可能とされて構成されるシステム例である。
ネットワーク６０とは、インターネット、携帯電話通信網、ＰＨＳ通信網、アドホックネットワーク、ＬＡＮなど、各種考えられる。
【００１５】
生体情報検出／送信装置１は、例えば生体情報を他人に提供しようとする人物（被検出者）が装着する装置である。被検出者は常時、生体情報検出／送信装置１を装着していてもよいし、或る特定の時間のみ装着してもよい。例えばスポーツ中、コンサート中、イベント中、パーティ中など、普段の生活とは異なる状況のときに装着することが考えられる。また普段の生活での一部の時間、例えば通勤時、業務執行時、就寝時などに装着するようにしてもよい。つまり、他人に提供しようとする生体情報を検出したい時点で任意に装着すればよい。
この生体情報検出／送信装置１は、被検出者の生体情報を検出する。そして検出した生体情報を含むアップロードデータを生成して、そのアップロードデータをネットワーク６０を介してサーバ装置７０に送信する。
【００１６】
サーバ装置７０はアップロードされてきた生体情報を内部のデータベースに蓄積する。後述するが、生体情報には、被検出者に固有に付与された識別情報（以下、被検出者ＩＤ）や、生体情報検出時の日時情報（年月日時分秒）を対応させて蓄積する。
サーバ装置７０は、蓄積した生体情報をダウンロードにより一般に提供すべく、例えばウェブサイトなどの形式で公開できる。この場合、無制限で公開してもよいが、特定の登録ユーザにのみ公開したり、課金処理に従って公開するようにすることも考えられる。
この場合、例えば被検出者の同意に基づいて、スポーツ選手であるＡ氏の試合時の心拍、歌手であるＢ氏のコンサート中の血圧などとして公開することも考えられる。
もちろん、被検出者を特定できる情報については公表しないものとしてもよい。
【００１７】
一般ユーザは、生体情報表現装置２０を用いて、公開された生体情報を体験できる。
生体情報表現装置２０は、サーバ装置７０にアクセスし（例えばサーバ装置７０が管理するウエブサイトにアクセスし）、公開された生体情報の中から任意の生体情報を選択してダウンロードすることができる。
生体情報表現装置２０では、ダウンロード受信した生体情報に基づいて、振動動作、形状変化動作、圧力印加動作、温度変化動作、湿感変化動作、表示動作、音声出力動作などを実行する。例えば生体情報表現装置２０には、動作部として振動、圧力、温度感、湿感などを表現する体感アクチュエータや、表示部や、音声出力部を備えられ、これらの動作部が生体情報に基づいた動作を行う。例えば振動によって心拍を脈拍を表現したり、例えば大きさの変化などとしての形状変化によって呼吸動作を表現したり、圧力印加によって血圧の状態を表現する。
これにより、例えば有名人や知人などの被検出者となった他人の生体情報を、生体情報表現装置のユーザは、その生体情報表現装置の表現動作によって体感できることになる。
【００１８】
以上の図１（ａ）の例はネットワーク６０及びサーバ装置７０を介して、生体情報表現装置２０が、生体情報検出／送信装置１で検出された生体情報を体感できるようにした例であるが、図１（ｂ）のように、生体情報検出／送信装置１と生体情報表現装置２０が直接通信を行うシステム例も構成可能である。
図１（ｂ）のシステム例では、生体情報検出／送信装置１と生体情報表現装置２０が直接通信可能とされており、生体情報検出／送信装置１は、検出した被検出者の生体情報を生体情報表現装置２０に送信する。生体情報表現装置２０は、受信した生体情報に基づいて動作部が動作する。これにより生体情報表現装置２０のユーザは、被検出者の生体情報を体感できる。例えば家族や知人などで一方が被検出者となり、一方が生体情報表現装置２０のユーザとなることで、そのユーザが、家族等の生体情報を体験できることになる。一例としては、母親が被検出者となって生体情報検出／送信装置１を装着し、その子供である乳幼児が生体情報表現装置２０による動作（例えば母親の鼓動に応じた振動）を体感することなどが考えられる。
【００１９】
［２．生体情報検出／送信装置の構成］
上記の生体情報共有システムを構成する生体情報検出／送信装置１の構成例を図２で説明する。
図２に示すように生体情報検出／送信装置１は、検出／送信コントローラ２、記憶部３、通信部４、生体センサ部５、操作部６を備える。
【００２０】
生体センサ部５は、被検出者の生体情報を検出する。生体情報とは、脈拍、心拍、心電図、筋電、呼吸、発汗、ＧＳＲ、血圧、血中酸素飽和濃度、皮膚表面温度、脳波、血流変化、体の動き、頭の動き、重心、歩行／走行のリズム、眼の状態などである。
例えばＧＳＲ（皮膚電気反応）、体温、皮膚表面温度、心電図反応、筋電心拍、脈拍、血流、血圧、脳波、発汗、体温などを検出するには、被検出者の皮膚に接触するセンサを用いることが考えられる。脳波については頭部に接触して装着されるセンサを用いる。
また、ユーザの眼の状態を検出するセンサとしては、例えばユーザの眼部を撮像するようにされた撮像部により形成できる。この場合、該撮像部が撮像したユーザの眼部の画像について画像解析を行うことで、視線方向、焦点距離、瞳孔の開き具合、眼底パターン、まぶたの開閉などを検出できる。または、ユーザの眼部に光を照射する発光部と、眼部からの反射光を受光する受光部により形成することもできる。例えば受光信号からユーザの水晶体の厚みを検知することも可能である。
さらに、体の動き、頭の動き、重心、歩行／走行のリズムなどは、加速度センサ、ジャイロ（角速度センサ）などを用いることで検出可能となる。即ち加速度センサやジャイロを備えることで、ユーザの動きに応じた信号として、例えば頭部の動き、首の動き、全身の動き、腕部の動き、脚部の動きなどを検出することができる。もちろん腕部の動き、脚部の動きなどを検出する場合は、加速度センサやジャイロがユーザの腕部や脚部に装着されるようにすればよい。
生体センサ部５は、これら所要のセンサによる検出結果情報を出力する。
【００２１】
検出／送信コントローラ２は、例えばＣＰＵ（Central Processing Unit）により形成される。この検出／送信コントローラ２は、生体情報の検出動作や送信動作のための制御処理を行う。
また記憶部３は、ＲＯＭ（Read Only Memory）、ＲＡＭ（Random Access Memory）、不揮発性メモリなどの記憶領域を有し、検出／送信コントローラ２の処理プログラム格納領域、及びワーク領域などとして用いられる。なお、記憶部３は検出／送信コントローラ２としてのマイクロコンピュータチップの内部メモリとして構成されてもよい。
また例えば記憶部３の不揮発性メモリ領域には、個々の生体情報検出／送信装置１に固有に付与された識別情報（装置ＩＤ）や、被検出者（生体情報検出／送信装置１の使用者）の識別情報（被検出者ＩＤ）などが記憶されるようにしてもよい。
【００２２】
通信部１７は外部通信機器との間でのデータの送受信を行う。特には、図１（ａ）のシステム構成の場合、通信部１７はネットワーク６０を介した通信として、サーバ装置７０との間でのデータ通信を行う。この場合、通信部１７は、有線又は無線でネットワーク接続されて通信を行うものであればよい。例えばネットワークアクセスポイントとの間で無線通信を行う構成が考えられる。
また図１（ｂ）のシステム構成の場合、通信部１７は、生体情報表現装置２０との間で有線又は無線でデータ通信を行う。
【００２３】
操作部６は、被検出者がこの生体情報検出／送信装置１を使用する際に必要な操作入力を行うために設けられる。例えば電源操作や、生体情報の検出又は送信の開始、終了の操作などが実行できるようにされればよい。
また、被検出者を特定する被検出者ＩＤや状況情報を入力できるようにしてもよい。状況情報とは生体情報検出時の被検出者の行動状況を示す情報であり、例えばスポーツ中（さらに詳しくは競技名）、コンサート中、実演中、観劇／観戦中、睡眠中、日常生活中・・・などの情報とすることが考えられる。
【００２４】
このような生体情報検出／送信装置１では、検出／送信コントローラ２は、生体センサ部５で検出される被検出者の生体情報の値を記憶部３に記憶していく。例えば操作部６からの操作入力に応じて、検出開始から終了とされるまでの期間、もしくは検出開始から一定期間などにおいて、生体情報の値を取り込んで記憶部３に記憶させる。
また検出／送信コントローラ２は、記憶部３に取り込んだ生体情報を送信する処理を行う。例えば操作部６の操作入力に基づいて、もしくは自動的に、生体情報を含むアップロードデータを生成し、通信部４からネットワーク６０を介してサーバ装置７０に送信させる（或いは図１（ｂ）のように対応する生体情報表現装置２０に送信させる）。この場合、アップロードデータには、生体情報だけでなく、被検出者ＩＤや装置ＩＤ、状況情報等を含むようにしてもよい。さらには、送信コントローラ２は日時計数を行っているようにし、生体情報の検出時の日時情報をアップロードデータに含めるようにしてもよい。
【００２５】
或いは検出／送信コントローラ２は、生体センサ部５で検出される生体情報を、リアルタイムに外部機器に送信する制御を行ってもよい。即ち生体センサ部５から出力される生体情報を通信部４に転送し、そのまま通信用の変調処理等を実行させて外部機器（例えばサーバ装置７０や生体情報表現装置２０）に送信させてもよい。
このような生体情報検出／送信装置１は、被検出者が装着できるように小型軽量の機器として構成されることが好適である。検出しようとする生体情報の内容にもよるが、例えば腕時計型、眼鏡型、ヘッドセット型、帽子型、ヘルメット型、手袋型、或いは機器内蔵の衣服などの形態であって、特に一部（生体センサ部５）が被検出者の皮膚や頭部など、検出内容に応じて適切な身体部位に接触できるような形態が適切である。
【００２６】
図３は、生体情報検出／送信装置１の他の構成例を示しており、これは、生体情報検出／送信装置１を、検出部１ａと送信部１ｂという別体のユニットで構成した例である。
検出部１ａは、生体センサ部５と、生体情報送信部８を有する。また送信部１ｂは、検出／送信コントローラ２、記憶部３、通信部４、操作部６に加え、生体情報受信部７を備える。
生体情報受信部７と生体情報送信部８は、例えば無線通信或いは有線通信で互いに通信を行う。無線通信とする場合、例えばブルートゥース等の近距離無線通信方式を採用してもよいし、可視光又は非可視光などを用いた光パルス変調でデータ通信を行う光通信方式でもよい。もちろんより長距離に対応した無線通信方式やネットワーク通信を用いてもよい。
そしてこの図３の場合、生体センサ部５で検出される生体情報は、生体情報送信部８から送信され、生体情報受信部７で受信される。
検出／送信コントローラ２は、生体情報受信部７で受信された生体情報を、記憶部３に記憶したり、或いは通信部４から外部機器（サーバ装置７０や生体情報表現装置２０）に送信させる処理を行う。
【００２７】
この図３の構成の場合、検出部１ａのみを、被検出者の皮膚や頭部に接触できるようにすればよいため、被検出者の装着負担を軽くするような形態が可能となる。特に検出部１ａは生体センサ部５と生体情報送信部８を有する簡易な構成であるため、小型軽量化が容易であり、身体の所要部位に装着可能な機器としての実現が容易となる。
また、送信部１ｂは、被検出者が所持する専用の小型機器とされてもよいが、例えば携帯電話機やＰＤＡ（Personal Digital Assistant）などの携帯可能な機器に、この送信部１ｂとしての機能を加えたものとしても実現可能である。また、必ずしも送信部１ｂは被検出者が所持又は装着する必要はないということを考えれば、例えば比較的大型の装置としてもよく、デスクトップタイプ、ノートタイプのパーソナルコンピュータなどに、この送信部１ｂとしての機能を実行させるようにすることも考えられる。
【００２８】
［３．サーバ装置の構成］
次に図４に、サーバ装置７０の構成例を示す。
上述したようにサーバ装置７０は、例えばネットワーク６０を介した通信により、生体情報検出／送信装置１からアップロードされる生体情報を蓄積し、また蓄積した生体情報を生体情報表現装置２０にダウンロードする装置である。
サーバ装置７０は、サーバ制御部７２、ネットワークストレージ部７１、通信部７３、情報管理部７４、生体情報データベース７５を備える。
【００２９】
サーバ制御部７２は、サーバ装置７０としての必要な動作制御を行う。特には、ネットワーク通信動作の制御や、生体情報検出／送信装置１からの生体情報のアップロードの際の処理制御、ネットワークウェブサイトの管理、生体情報表現装置２０に対する生体情報のダウンロードの制御などを行う。
ネットワークストレージ部７１は、例えばＨＤＤ等により実現され、例えば生体情報検出／送信装置１や生体情報表現装置２０とのネットワーク６０を介した通信による送受信データ（アップロードデータやダウンロードデータ）を一時的に保存したり、ウェブサイト画像の保存などに用いられる。
通信部７３は、生体情報検出／送信装置１や生体情報表現装置２０との間で、ネットワーク６０を介したデータ通信を行う。
【００３０】
情報管理部７４は、生体情報検出／送信装置１からアップロードされた生体情報の管理を行う。
生体情報データベース７５には、アップロードされた生体情報が、例えば被検出者ＩＤ、状況情報、日時情報などと対応づけられた状態でデータベース化されて格納される。
情報管理部７４は、この生体情報データベース７５に対する生体情報の登録や検索、さらには被検出者ＩＤ、状況情報の生成、登録などの処理も行う。
【００３１】
［４．生体情報表現装置の構成］
次に生体情報表現装置２０の構成例を図５で説明する。
生体情報表現装置２０は、システムコントローラ２１、通信部２２、ストレージ部２３、表示部２４，表示処理部２５、音声出力部２６，音声処理部２７、操作部２８，体感アクチュエータ３０，アクチュエータドライバ３１を有する。
【００３２】
システムコントローラ２１は、例えばＣＰＵ（Central Processing Unit）、ＲＯＭ（Read Only Memory）、ＲＡＭ（Random Access Memory）、不揮発性メモリ部、インターフェース部を備えたマイクロコンピュータにより構成され、生体情報表現装置２０の全体を制御する制御部とされる。
このシステムコントローラ２１は内部の動作プログラムに基づいて、生体情報表現装置２０内の各部の制御を行い、通信動作や生体情報に基づく動作を実行させる。
【００３３】
通信部２２は、外部機器との間でのデータの送受信を行う。特には、図１（ａ）で示したネットワーク６０を介した通信として、サーバ装置７０との間でのデータ通信を行って生体情報を受信する。通信部２２は、有線又は無線でネットワーク接続されて通信を行うものであればよい。或いは、通信部２２は、図１（ｂ）に示したシステム構成において、生体情報検出／送信装置１の通信部４との間の通信を有線又は無線で行う部位とされて生体情報を受信する場合もある。
【００３４】
ストレージ部２３はシステムコントローラ２１の制御に基づいて、受信した生体情報の記録（保存処理）を行う。またストレージ部２３はシステムコントローラ２１の制御に基づいて、記録した生体情報を読み出す。
このストレージ部２３は、ＲＡＭ或いはフラッシュメモリなどの固体メモリにより構成されても良いし、例えばＨＤＤ（Hard Disk Drive）により構成されてもよい。
また内蔵の記録媒体ではなく、可搬性の記録媒体、例えば固体メモリを内蔵したメモリカード、光ディスク、光磁気ディスク、ホログラムメモリなどの記録媒体に対応する記録再生ドライブなどとされても良い。
もちろん、固体メモリやＨＤＤ等の内蔵タイプのメモリと、可搬性記録媒体に対する記録再生ドライブの両方が搭載されてもよい。
【００３５】
表示部２４は、例えば液晶パネル、有機ＥＬパネル等の表示パネル部と、表示パネル部を表示駆動する表示駆動部が設けられる。表示駆動部は、表示処理部２５から供給される画像データを表示パネル部において表示させるための画素駆動回路で構成されている。画素駆動回路は表示パネル部においてマトリクス状に配置されている各画素について、それぞれ所定の水平／垂直駆動タイミングで映像信号に基づく駆動信号を印加し、表示を実行させる。
表示処理部２５は、システムコントローラ２１の制御に基づいて、表示部２４における画素駆動回路を駆動し、表示パネル部に所定の表示を実行させる。特に本例では、システムコントローラ２１が生体情報に基づく画像データを生成して表示処理部２５に供給する。この場合に表示処理部２５は、その画像データを表示部２４で表示させるように画像信号処理を行うことになる。
生体情報に基づく画像データとは、例えば生体情報を示すイメージ画像、グラフ画像、文字表示画像等である。
また、サーバ装置７０との通信時において、サーバ装置７０が提供するウエブサイトの閲覧画像などの表示も、表示部２４において行われる。
【００３６】
音声処理部２７は、例えば音声信号処理部としての回路やアンプを有する。また音声出力部２６は例えばスピーカ、イヤホンなどとして構成される。
本例の場合、システムコントローラ２１は生体情報に基づく音声信号を生成することができる。この音声信号が音声処理部２７に供給され音声出力部２６から出力される。例えば心拍や脈拍の情報に基づいて、心音等の音声信号が生成され、音声出力部２６から出力される。
【００３７】
操作部２８は、ユーザの操作のために設けられている。例えば生体情報のダウンロードのための操作、生体情報に基づく各種出力動作、生体情報表現装置２０の電源オン／オフなどの操作などが、操作部２８から可能とされる。
システムコントローラ２１は、操作部２８からの操作情報に基づいて所要の制御処理を行う。
【００３８】
体感アクチュエータ３０は、例えば振動部、圧力印加部、形状変化部、温度変化部、湿感変化部などとしての動作を行うアクチュエータである。
この体感アクチュエータ３０はアクチュエータドライバ３１からの駆動信号に応じて所要の動作を行う。システムコントローラ２１は、アクチュエータドライバ３１に対して、生体情報に基づく駆動制御信号を供給する。アクチュエータドライバ３１は、生体情報に基づく駆動制御信号に応じて、体感アクチュエータ３０を駆動する。
例えば、心拍に応じた振動を実行させたり、血圧に応じた圧力印加を実行させたりするなどの構成が想定される。
ユーザは、体感アクチュエータ３０としての部位の動作により、生体情報に基づく振動、圧力、形状変化、温度変化、湿感変化を体感できる。
なお、体感アクチュエータ３０の具体例については後述する。
【００３９】
図６は、生体情報表現装置２０の他の構成例を示している。これは、生体情報表現装置２０を端末部２０ａとアクチュエータ部２０ｂの別体ユニットで構成した例である。
この場合、端末部２０ａは、システムコントローラ２１、通信部２２、ストレージ部２３、表示部２４，表示処理部２５、音声出力部２６，音声処理部２７、操作部２８に加えて、制御情報送信部２９が設けられる。
またアクチュエータ部２０ｂには、体感アクチュエータ３０，アクチュエータドライバ３１に加えて制御情報受信部３２が設けられる。
【００４０】
制御情報送信部２９と制御情報受信部３２は、例えば無線通信或いは有線通信で互いに通信を行う。無線通信とする場合、例えばブルートゥース等の近距離無線通信方式を採用してもよいし、可視光又は非可視光などを用いた光パルス変調でデータ通信を行う光通信方式でもよい。もちろんより長距離に対応した無線通信方式やネットワーク通信を用いてもよい。
そしてこの図６の場合、システムコントローラ２１は、生体情報に基づく動作の駆動制御信号を、制御情報送信部２９から送信させる。この駆動制御信号はアクチュエータ部２０ｂの制御情報受信部３２で受信されてアクチュエータドライバ３１に送られ、アクチュエータドライバ３１は、駆動制御信号に応じて、体感アクチュエータ３０を駆動する。
【００４１】
この図６の構成の場合、ユーザはアクチュエータ部２０ｂとしての構造体を所持したり、利用することで、生体情報に基づく動作を体感できる。
そして端末部２０ａは、専用機器とする他、例えばパーソナルコンピュータ等において実現することも可能となる。
【００４２】
以上、生体情報検出／送信装置１、サーバ装置７０、生体情報表現装置２０の構成を示したが、これらは一例にすぎない。実際に実施される動作例や機能に応じて各種の構成要素の追加や削除は当然考えられる。
【００４３】
［５．生体情報検出／送信装置、サーバ装置、生体情報表現装置によるシステム動作］
以上の生体情報検出／送信装置１、サーバ装置７０、生体情報表現装置２０で構成される図１（ａ）の生体情報共有システムとしての動作例を説明する。
【００４４】
図７は生体情報検出／送信装置１からサーバ装置７０へ生体情報をアップロードする際の動作を示している。図７において生体情報検出／送信装置１の処理は、検出／送信コントローラ２の制御によって実行される処理であり、サーバ装置７０の処理は、サーバ制御部７２の制御によって実行される処理である。
【００４５】
生体情報検出／送信装置１では、ステップＦ１０１として、被検出者の生体情報の検出及び記憶処理を行う。即ち検出／送信コントローラ２は、生体センサ部５で得られる生体情報を所定期間検知すると共に、その生体情報を記憶部３に記憶させていく。
次にステップＦ１０２として、生体情報検出／送信装置１ではアップロードデータを生成する。この場合、検出／送信コントローラ２は、記憶部３に記憶させた生体情報の全部又は一部をアップロードデータとする。またこの場合、アップロードデータに、被検出者ＩＤ、状況情報、及び生体情報検出時点の日時情報を含ませるようにすることもある。
ステップＦ１０３では、サーバ装置７０と通信接続を行う。検出／送信コントローラ２は、通信部４からネットワーク通信を開始させ、サーバ装置７０に通信接続を実行させる。またこのとき、サーバ装置７０側ではステップＦ２０１として、サーバ制御部７２は、通信部７３での通信接続処理を行うとともに、認証処理を行う。認証処理の手法は多様に考えられるが、例えば生体情報検出／送信装置１から装置ＩＤを送信し、サーバ装置７０側で、当該装置ＩＤが適正に登録された装置ＩＤであるか否かを判断するといった手法が考えられる。
【００４６】
認証ＯＫとなって接続が確立されたら、生体情報検出／送信装置１はアップロード送信を行う。即ち検出／送信コントローラ２は、生体情報を含むアップロードデータを通信部４から送信させる。
一方サーバ装置７０のサーバ制御部７２は、ステップＦ２０２として、通信部７３で受信されるアップロードデータをネットワークストレージ部７１に取り込む。
アップロードデータの取り込みが完了したら、サーバ制御部７２は、ステップＦ２０３で、取り込んだアップロードデータについてデコード処理やデータ抽出を行い、アップロードデータに含まれていた生体情報を、情報管理部７４に受け渡し、ダウンロード可能なデータとして生体情報データベース７５に登録する処理を行う。
【００４７】
例えばこのような処理が逐次行われることで、サーバ装置７０側では、生体情報データベース７５にアップロードされた生体情報が蓄積されていく。
図８には生体情報データベース７５での登録形式の一例を示している。
図８に示すようにアップロードされた生体情報ＤＴ１，ＤＴ２，ＤＴ３・・・が、それぞれ被検出者ＩＤ（Ｕ１，Ｕ２，Ｕ３・・・）、状況情報（ＵＳ１，ＵＳ２，ＵＳ３・・・）、日時情報（ＴＭ１，ＴＭ２，ＴＭ３・・・）と対応づけられて登録される。
【００４８】
被検出者ＩＤは、生体情報の検出をおこなった被検出者の識別情報である。アップロードデータに被検出者ＩＤが含まれていれば、アップロードデータから抽出した被検出者ＩＤを登録すればよい。例えば生体情報ＤＴ１のアップロードの際に、生体情報ＤＴ１とともに被検出者ＩＤ「Ｕ１」が生体情報検出／送信装置１から送信されてきた場合は、サーバ装置７０側では、その被検出者ＩＤ「Ｕ１」をアップロードデータから抽出して、図のように生体情報ＤＴ１に対応させて登録すればよい。状況情報、日時情報も同様に、これらがアップロードデータに含まれていれば、これらの情報を抽出して、生体情報に対応づけて登録すればよい。
但し、被検出者ＩＤ、状況情報は、アップロードデータに含まれていなくても、サーバ側で生成して登録することも可能である。
例えばサーバ装置７０の運営者が特定の人物に生体情報提供を依頼して、その人物が被検出者となって生体情報検出／送信装置１を使用し、生体情報をアップロードした場合は、サーバ装置７０側で、人物を特定できる。その場合、アップロードされた生体情報に対応する被検出者ＩＤを、サーバ装置７０側で入力するようなことも可能である。
状況情報についても同様であり、例えばスポーツ選手に或るスポーツの競技中の生体情報提供を依頼したような場合は、スポーツ中や競技の別を示す状況情報をサーバ装置７０側で入力することが可能である。
また、生体情報検出／送信装置１を、或る人物が継続して使用している場合は、装置ＩＤによって被検出者を特定できるため、装置ＩＤに基づいて被検出者ＩＤを自動判別したり、或いは被検出者ＩＤを入力することができる。
なお、被検出者ＩＤに代えて（或いは被検出者ＩＤとともに）装置ＩＤを生体情報に対応させて登録してもよい。
【００４９】
このようにサーバ装置７０に蓄積された生体情報は、生体情報表現装置２０がダウンロードすることができる。
図９には、生体情報をダウンロードする際の、サーバ装置７０と生体情報表現装置２０の処理を示している。サーバ装置７０の処理はサーバ制御部７２の制御による処理であり、生体情報表現装置２０の処理はシステムコントローラ２１の制御による処理である。
【００５０】
ダウンロードを実行する場合、まずステップＦ３０１として生体情報表現装置２０はサーバ装置７０と通信接続を行う。システムコントローラ２１は、通信部２２からネットワーク通信を開始させ、サーバ装置７０に通信接続を実行させる。またこのとき、サーバ装置７０側ではステップＦ２１０として、サーバ制御部７２は、通信部７３での通信接続処理を行うとともに、認証処理を行う。この場合も認証処理の手法は多様に考えられるが、例えば生体情報表現装置２０のユーザがユーザＩＤやログインパスワード等を入力し、サーバ装置７０側でユーザＩＤとログインパスワードの照合を行うといった手法が考えられる。そして例えば認証ＯＫとなることに応じて、サーバ装置７０側では、ダウンロード用のウエブサイトへのアクセスを許可し、これによって生体情報表現装置２０のユーザは、ウエブサイトの閲覧が可能となる。
サーバ装置７０側では、このウエブサイトに、生体情報データベース７５に登録されてダウンロード可能とされている生体情報の一覧を表示させる。この場合、被検出者ＩＤや状況情報に基づいて、一般ユーザにとって分かり易い情報を提示することが好適である。例えばスポーツ選手のＡ氏から提供された生体情報については、「Ａ氏の試合中の心拍」などとして紹介することが考えられる。
【００５１】
生体情報表現装置２０のユーザは、ダウンロード用のウエブサイトの閲覧し、自分が体験したい生体情報を選択してダウンロード要求の操作を行う。その場合、システムコントローラ２１は、ステップＦ３０２として、ユーザが選択した生体情報のダウンロード要求をサーバ装置７０に送信する。
サーバ制御部７２は、ステップＦ２１１としてダウンロード要求を受信したことを検知したら、ステップＦ２１２でダウンロード送信を実行する。即ち情報管理部７４に指示して生体情報データベース７５から、指定された生体情報を読み出させる。そして、その生体情報を含むダウンロードデータを生成し、通信部７３からダウンロード送信させる。
生体情報表現装置２０側では、システムコントローラ２１がステップＦ３０３でダウンロードデータの受信及び取り込み処理を行う。そしてシステムコントローラ２１はステップＦ３０４で、取り込んだダウンロードデータをストレージ部２３に保存させる処理を行う。
以上の処理により、生体情報表現装置２０側に、生体情報表現装置２０のユーザが選択した生体情報がダウンロードされたことになり、以降、その生体情報表現装置２０側では、ダウンロードされた生体情報を用いた各種の表現動作が可能となる。
図１０（ａ）（ｂ）（ｃ）に各種表現動作の処理例を示す。
【００５２】
図１０（ａ）は生体情報表現装置２０が生体情報に基づく表示動作を実行する場合の処理を示している。
システムコントローラ２１は、ステップＦ３２１で、ダウンロードによりストレージ部２３に格納した生体情報のうちで、表示出力しようとする生体情報の読出を行う。システムコントローラ２１はストレージ部２３に生体情報の読出を実行させて、その生体情報のデータを取り込む。そしてステップＦ３２２で、生体情報のデータに基づいて、表示画像信号を生成する。例えば生体情報を提示するイメージ画像、グラフ、表などの画像信号を生成する。
そしてステップＦ３２３で、システムコントローラ２１は表示画像信号を表示処理部２５に供給し、表示部２４での表示動作を実行させる。
【００５３】
表示される画像の例を図１１に示す。
図１１（ａ）は生体情報のイメージ画像を表示する例である。この例では脳波として、α波、β波、θ波、δ波のそれぞれについて発生部位と振幅を提示する画像としている。なおイメージ画像とは、表示する生体情報について、例えば頭部、身体などの図形上で生体情報を表現したり、身体活動を模式的な画像で示すものなどである。
図１１（ｂ）（ｃ）は生体情報をグラフ画像で表示する例である。図１１（ｂ）は、例えば心拍、脈拍等の波形を示す画像例である。また図１１（ｃ）は、例えば血圧、心拍、体温、発汗、ストレスなどを数値化して、そのレベルを表示した画像例である。
例えばこれらのような画像表示を表示部２４において実行することで、ユーザはダウンロードした他人の生体情報の状態を見ることができる。
【００５４】
図１０（ｂ）は、生体情報表現装置２０が生体情報に基づく音声出力動作を実行する場合の処理を示している。
システムコントローラ２１は、ステップＦ３３１で、ダウンロードによりストレージ部２３に格納した生体情報のうちで、音声出力しようとする生体情報の読出を行う。つまりシステムコントローラ２１はストレージ部２３に生体情報の読出を実行させて、その生体情報のデータを取り込む。
そしてステップＦ３３２で、生体情報のデータに基づいて、音声信号を生成する。例えば生体情報としての心拍数に応じた心音としての音声信号を生成する。
そしてステップＦ３３３で、システムコントローラ２１は音声信号を音声処理部２７に供給し、音声出力部２６からの音声出力を実行させる。
このような音声出力を音声出力部２６において実行することで、ユーザはダウンロードした他人の生体情報を音声により体験できる。
【００５５】
図１０（ｃ）は、生体情報表現装置２０が生体情報に基づいて体感アクチュエータ３０を駆動する場合の処理を示している。
システムコントローラ２１は、ステップＦ３４１で、ダウンロードによりストレージ部２３に格納した生体情報のうちで、体感アクチュエータ３０の駆動に用いる生体情報の読出を行う。つまりシステムコントローラ２１はストレージ部２３に生体情報の読出を実行させて、その生体情報のデータを取り込む。
そしてステップＦ３４２で、生体情報のデータに基づいて、体感アクチュエータ３０の駆動制御信号を生成する。例えば生体情報としての心拍等に応じた強弱（駆動レベルの変動）などを示す駆動制御信号を生成する。
そしてステップＦ３４３で、システムコントローラ２１は駆動制御信号をアクチュエータドライバ３１に供給し、体感アクチュエータ３０の駆動を実行させる。
このような体感アクチュエータ３０の駆動により、ユーザはダウンロードした他人の生体情報を振動、形状変化、圧力変化、温度変化、湿感変化などとして体感できる。具体的な動作例は後に述べる。
【００５６】
［６．生体情報検出／送信装置と生体情報表現装置によるシステム動作］
上記の図７、図９、図１０で述べた処理は、図１（ａ）のようにサーバ装置７０を介したシステム動作例であるが、ここでは図１（ｂ）のように生体情報検出／送信装置１が直接、生体情報表現装置２０に生体情報を送信する場合の動作例を説明する。
図１２は、生体情報検出／送信装置１の検出／送信コントローラ２と、生体情報表現装置２０のシステムコントローラ２１の処理を示している。
【００５７】
生体情報検出／送信装置１の検出／送信コントローラ２は、処理開始のトリガ発生に応じて、処理をステップＦ４０１からＦ４０２に進める。なお、処理開始のトリガとは、例えば電源オンなどとしてもよいし、被検出者の開始操作としてもよい。
ステップＦ４０２では、生体情報検出を行う。即ち検出／送信コントローラ２は、生体センサ部５から供給される生体情報の検出信号を取り込む。
そしてステップＦ４０２では、システムコントローラ２１は取り込んだ生体情報を送信データとして通信部４に転送し、所要の変調動作を実行させて送信出力させる。
【００５８】
検出／送信コントローラ２は、ステップＦ４０４で処理終了トリガ（例えば電源オフ操作や終了操作）が検出されるまでの間、このステップＦ４０２，Ｆ４０３の処理を継続する。従って、処理終了とされるまでは、継続的に、生体センサ部５で検出される生体情報がリアルタイムで生体情報表現装置２０に対して送信されることになる。
なお、処理終了トリガが発生したら、システムコントローラ２１はステップＦ４０４からＦ４０５に進み、検出及び送信の動作停止処理（又は電源オフ処理）を行う。
【００５９】
一方、生体情報表現装置２０のシステムコントローラ２１は、処理開始のトリガ発生（例えば電源オンや開始操作）に応じて、ステップＦ５０１からＦ５０２に進む。
システムコントローラ２１はステップＦ５０２では、生体情報の受信を監視する。通信部２２により、生体情報検出／送信装置１からの生体情報の受信が検知されたら、システムコントローラ２１はステップＦ５０３での出力信号の生成及び出力制御を行う。
このステップＦ５０３の処理とは、上記図１０（ａ）（ｂ）（ｃ）と同様の動作の実行制御であり、例えば表示出力の場合は、受信した生体情報に基づいて表示画像信号を生成し、表示部２４で表示させる制御となる。また音声出力の場合は、受信した生体情報に基づいて音声信号を生成し、音声出力部２６からの音声出力させる制御となる。また体感アクチュエータ３０を駆動する場合は、受信した生体情報に基づいて駆動制御信号を生成し、アクチュエータドライバ３１によって体感アクチュエータ３０を駆動させる制御となる。
【００６０】
システムコントローラ２１は、ステップＦ５０４で処理終了トリガが検出されるまでの間、このステップＦ５０２，Ｆ５０３の処理を継続する。従って、処理終了とされるまでは、継続的に、受信された生体情報に基づいて、表示出力又は音声出力又は体感アクチュエータ３０の動作が実行されることになる。
【００６１】
システムコントローラ２１は、例えば電源オフ操作や終了操作、或いは所定時間以上継続して生体情報が受信されなくなった場合などを処理終了トリガ発生と判断する。
処理終了トリガが発生したら、システムコントローラ２１はステップＦ５０４からＦ５０５に進み、動作制御の終了処理（又は電源オフ処理）を行う。
【００６２】
例えばこのようなシステム動作により、生体情報表現装置２０のユーザは、生体情報検出／送信装置１を装着している被検出者の生体情報を、リアルタイムで体感できることになる。
【００６３】
［７．生体情報例］
ここで、本例で言う生体情報の例について述べておく。
上記したように、生体情報は、脈拍、心拍、心電図信号、筋電、呼吸（例えば呼吸の速さ、深さ、換気量など）、発汗、ＧＳＲ（皮膚電気反応）、血圧、血中酸素飽和濃度（ＳｐＯ2）、皮膚表面温度、脳波（例えばα波、β波、θ波、δ波の情報）、血流変化（近赤外分光による脳血流、抹消血流などの血流変化）、体温、体の動き（揺れ）、頭の動き（揺れ）、重心、歩行／走行のリズム、眼の状態（瞳孔状態、眼の動き、まばたき等）などである。
これらはユーザの身体状況を示す指標となる。本実施の形態の生体情報共有システムでは、これらの生体情報のいずれか、もしくは組み合わせて被検出者から検出し、生体情報表現装置２０のユーザが、その生体情報に基づく動作を体験できるようにする。
【００６４】
以下、生体情報の種類と要素技術について例示しておく。特に中枢神経系、自律神経系、視覚神経系、体性神経系の生体情報を挙げる。各例においては、検出情報の物理量・測定量と、その為の要素技術、さらにはそれらの生体情報の利用応用例を示しておく。
【００６５】
＜中枢神経系１：脳波・脳電位図（ＥＥＧ：Electro Encephalo Graphy）＞
＊物理量、測定量
・周波数（α波、β波、θ波、δ波など）
・振幅（Ｆｍθ波など）
・α波、β波、θ波、δ波の発生部位（分布）
・出現率（α波など）
・事象関連電位（ＥＲＰ：Event-related potential）
＊要素技術
・周波数解析
・時系列解析
・自己・相互相関解析
＊利用応用例
・覚醒水準の推定（緊張興奮、注意集中）
・心理状態の解析（例えばＥＳＡＭ（Emotion Spectrum Analysis Method：感性スペクトル解析法））
・刺激に対する生体活動の応答
・バイオフィードバック（α波の変動を利用）
・心理療法
【００６６】
＜中枢神経系２：脳磁図（ＭＥＧ：Magnet Encephalo Graphy）＞
＊物理量、測定量
・周波数（α波、β波、θ波、δ波など）
・α波、β波、θ波、δ波の発生部位
・事象関連電位（ＥＲＰ：Event-related potential）
＊要素技術
・周波数解析
・時系列解析
・逆問題（ダイポール推定法）
＊利用応用例
・脳内活動部位の特定
・・事象関連脳磁場
・・記憶・言語などの高次機能の解析
・・大脳皮質の機能マッピング
【００６７】
＜中枢神経系３：機能的核磁気共鳴画像（ｆＭＲＩ：functional Magnetic Resonance Imaging）＞
＊物理量、測定量
・周波数（α波、β波、θ波、δ波など）
・α波、β波、θ波、δ波の発生部位
・事象関連電位（ＥＲＰ：Event-related potential）
＊要素技術
・時系列解析
・相互相関分析
＊利用応用例
・脳機能の解析
・・視覚的、空間的注意、視覚イメージ
・・色の知覚
・・言語、運動など
【００６８】
＜自律神経系１：心臓循環系（心電図・脈拍）＞
＊物理量、測定量
・周波数（Ｒ−Ｒ間隔、心拍変動、脈拍）
・振幅（脈、心拍）
・波形（脈、心拍）
＊要素技術
・周波数解析、ＦＦＴ（Fast Fourier Transform），ＭＥＭ（Maximum Entropy Method）、Ｗａｖｅｌｅｔ解析
・時系列解析
＊利用応用例
・緊張・弛緩の推定
・情動状態の推定
・交感神経、迷走神経の働きの解析
【００６９】
＜自律神経系２：呼吸器系（呼吸活動）＞
＊物理量、測定量
・周波数（呼吸の速さ）
・振幅（呼吸の深さ）
・波形（呼吸曲線）
・換気量（呼吸率、ガス交換率）
＊要素技術
・周波数解析
・時系列解析
・サイクル分析法
＊利用応用例
・緊張・弛緩の推定
・虚偽の検出
・リラクゼーション（呼吸調整、調息）
【００７０】
＜自律神経系３：皮膚電気活動（精神性の発汗）＞
＊物理量、測定量
・反応振幅
・波形（反応の時間変数）
・出現頻度
＊要素技術
・周波数解析
・時系列解析
＊利用応用例
・恐怖・不安の検出
・覚醒水準の推定
【００７１】
＜自律神経系３：温熱系（皮膚温）＞
＊物理量、測定量
・皮膚温度
・温度分布
＊要素技術
・周波数解析
・時系列解析
＊利用応用例
・情動の推定
・・不安・困惑・怒り（手指の皮膚温の低下）
・・安堵・弛緩（手指の皮膚温の上昇）
・精神的負荷の推定
・・手指、鼻部の皮膚温の低下
【００７２】
＜体性神経系（筋電図）＞
＊物理量、測定量
・周波数
・振幅
・波形
＊要素技術
・周波数解析
・時系列解析
＊利用応用例
・覚醒水準の推定
・緊張・弛緩の推定
・表情・動作・運動の研究
・リハビリテーション（バイオフィードバック）
【００７３】
＜視覚神経系（眼球運動、瞳孔運動、まばたき）＞
＊物理量、測定量
・周波数
・振幅（反応振幅）
・波形（反応電位、持続時間、停留時間）
・頻度（サッカディック眼球運動、まばたき）
＊要素技術
・周波数解析
・時系列解析
＊利用応用例
・覚醒水準の推定
・興味の推定
・心的負荷の推定
【００７４】
［８．体感デバイス例］
上述したように、生体情報表現装置２０では、体感アクチュエータ３０を生体情報に基づいて駆動することで、ユーザが他人の生体情報を体験できるようにしている。
体感アクチュエータ３０は、何らかの体感デバイスに内蔵されるもので、ユーザは体感デバイスによって生体情報を体感する。
体感アクチュエータ３０を備える体感デバイスの具体例は非常に多様に考えられるため、それらの代表例を述べていく。
【００７５】
＜振動体感デバイス＞  
まず、体感アクチュエータ３０を振動アクチュエータとして、振動をユーザに体感させるものが想定される。
振動体感デバイスとしては、例えば振動ボール、振動チェア、振動ベッドなどが考えられる。振動ボールとは、ゴム、樹脂その他の材質の球体の内部に振動アクチュエータを配置したものであり、球体全体が振動アクチュエータによって振動する。この振動ボールをユーザが握っていることで振動を体感できる。本例では、その振動が、被検出者の心拍、脈拍などを表現するものとなる。
振動チェア、振動ベッドなども、内部に振動アクチュエータを配置したものであり、座った人や寝ている人に、被検出者の生体情報に基づく振動を与える装置として構成できる。
これら以外にも、各種の形状、形態で、ユーザに振動を体感させる装置は想定される。
【００７６】
＜形状変化体感デバイス＞
例えばゴム或いはスポンジ系などの伸縮性の或る材質でのボール状やその他の形状物であったり、袋状のものを想定する。
体感アクチュエータ３０としては、それらの形状物の内部の構造骨体を移動させるような機構であったり、或いは袋状の形状物の内部で空気の吸引／排気を行うことで形状変化を実行させる機構が考えられる。
この場合、例えば被検出者の呼吸、脳波などに応じて形状変化を実行させるようなデバイス例が想定できる。
【００７７】
＜圧力印加デバイス＞
ユーザの身体に圧力を印加する装置の形態としては、ユーザが手に着けるグローブ状の形態、或いは腕や足に巻き付ける形態、或いは体感スーツ等の衣服状の形態、ブレスレット状などとして、各種の形態が想定される。
そしてユーザに対して、例えば被検出者の血圧、脳波、ストレスなどの生体情報に応じて圧力印加を行う。
【００７８】
＜温度変化デバイス＞
例えばユーザが手に持つことができるボール状、或いはその他の形状のものや、手、足、身体に装着できるものとして、ユーザに温度変化を体感させるデバイスが想定できる。
この場合、加熱／冷却を実行するアクチュエータを装備し、生体情報としての体温や脳波の情報に応じて温度変化動作を実行させ、ユーザに体感させることが考えられる。
【００７９】
＜湿感変化デバイス＞
同じくユーザが手に持つことができるボール状、或いはその他の形状のものや、手、足、身体に装着できるものとして、ユーザに湿感変化を体感させるデバイスが想定できる。
この場合、加湿／乾燥動作を実行するアクチュエータを装備し、生体情報としての発汗や脳波の情報に応じて湿感（湿り気）を変化させる動作を実行させ、ユーザに体感させることが考えられる。
【００８０】
以上、各種の体感デバイス例を述べたが、これらは一例にすぎず、上述した各種の生体情報を体感させるデバイスの形態や動作は非常に多様に考えられる。
【００８１】
［９．実施の形態の効果及び変形例］
以上の実施の形態によれば、生体情報表現装置２０のユーザが、他人の生体情報を体感することができるという新たな楽しみを創出できる。
サーバ装置７０から生体情報をダウンロードする場合、そのサーバ装置７０に多様な人物の各種の状況での生体情報が蓄積されていることで、生体情報表現装置２０のユーザは、多様な人物の状況を体感できる。
例えばサッカー選手の試合中の心拍、呼吸、脳波状態、血圧を体感したり、短距離選手の走行リズムや心拍等を体感したり、水泳選手の呼吸を体感することなどが実現できる。
また歌手などの音楽アーティストのコンサート中、画家や工芸家の作品製作中、俳優の演技中、政治家の演説中、飛行機のパイロットの操縦中、レーサーのレース中などとして、興味深い生体情報を体験できる。
またスカイダイビング、スキューバダイビング、マラソンなどにおいて、熟練者と被熟練者のそれぞれの生体情報を体験して、違いを感じることなども可能である。
また、特に被検出者を特定しなくても、或る人物の睡眠中、通勤中などの生体情報を知ることができ、単なる楽しみのみではなく、各種の調査、研究などにも使用できる。
【００８２】
また、生体情報検出／送信装置１から直接、生体情報表現装置２０に生体情報を送信するシステムの場合は、特に知人、家族間などの身近な人同士での生体情報の共有に適している。
例えば母親の心拍に基づく動作を子供に体感させることで、子供に安眠を促したり、安らかな気持ちにさせるようなことも考えられる。
さらには、乳児の生体情報を親がリアルタイムで体感することで、乳児が感じている感覚や異常を親が感知しやすくなるようにすることも可能である。
【００８３】
本発明は、上記実施の形態に限られず、生体情報検出／送信装置１、サーバ装置７０、生体情報表現装置２０の構成例や処理例として各種の変形例が考えられる。
例えば図１（ａ）のシステムを有料サービスとして実施するために、生体情報表現装置２０がサーバ装置７０にアクセスし、ダウンロードするためには所定の課金処理や登録処理が行われるようにする処理例も考えられる。
また、生体情報検出／送信装置１は、検出した生体情報を全て送信するようにはせずに、被検出者の選択などにより、被検出者が許可した内容の情報のみを送信できるようにしてもよい。例えば生体情報検出／送信装置１の生体センサ部５が、心拍、血圧、発汗、脳波を検出できるように構成されている場合に、被検出者が例えば心拍のみを送信許可として設定することで、サーバ装置７０へのアップロードデータに含めるのは心拍の情報のみとするような処理である。
【００８４】
また生体情報検出／送信装置１を人間以外の生物、例えば犬や猫などのペットに装着できるようにすることで、ペットの生体情報を検出し、サーバ装置７０にアップロードしたり、或いは生体情報表現装置２０に直接送信して飼い主が体感できるようにすることも考えられる。
【図面の簡単な説明】
【００８５】
【図１】本発明の実施の形態の生体情報共有システムの説明図である。
【図２】実施の形態の生体情報検出／送信装置のブロック図である。
【図３】実施の形態の生体情報検出／送信装置のブロック図である。
【図４】実施の形態のサーバ装置のブロック図である。
【図５】実施の形態の生体情報表現装置のブロック図である。
【図６】実施の形態の生体情報表現装置のブロック図である。
【図７】実施の形態のアップロード動作処理のフローチャートである。
【図８】実施の形態のサーバ装置に蓄積される生体情報の説明図である。
【図９】実施の形態のダウンロード動作処理のフローチャートである。
【図１０】実施の形態の生体情報に基づく出力処理のフローチャートである。
【図１１】実施の形態の生体情報に基づく表示例の説明図である。
【図１２】実施の形態の生体情報通信動作のフローチャートである。
【符号の説明】
【００８６】
１  生体情報検出／送信装置、２  検出／送信コントローラ、３  記憶部、４  通信部、５  生体センサ部、２０  生体情報表現装置、２１  システムコントローラ、２２  通信部、２３  ストレージ部、２４  表示部、２５  表示処理部、２６  音声出力部、２７  音声処理部、３０  体感アクチュエータ、３１  アクチュエータドライバ、７０  サーバ装置、７２  サーバ制御部、７３  通信部、７４  情報管理部、７５  生体情報データベース
【図１】
2009015449.tif 000003
【図２】
2009015449.tif 000004
【図３】
2009015449.tif 000005
【図４】
2009015449.tif 000006
【図５】
2009015449.tif 000007
【図６】
2009015449.tif 000008
【図７】
2009015449.tif 000009
【図８】
2009015449.tif 000010
【図９】
2009015449.tif 000011
【図１０】
2009015449.tif 000012
【図１１】
2009015449.tif 000013
【図１２】
2009015449.tif 000014